(57)【要約】【課題】デジタル放送受信端末機において、消費電力を低減可能な電力制御装置を提供する。【解決手段】２つのデジタル放送用受信部１１０，１２０を有するデジタル放送受信端末機において、受信環境に応じて両受信部１１０，１２０の動作を制御し、受信環境が良好な場合は、受信部のいずれか一方を単独動作させ、他方の受信部は電源供給を制御して、受信環境に応じてダイバーシチを使い分けることにより消費電力抑制を図ることのできる電力制御装置を提供する。【選択図】図１
2006311539.tif 000002
【特許請求の範囲】
【請求項１】
デジタルマルチメディア放送を受信するための第１及び第２受信部と、
受信環境に応じて前記第１及び第２受信部の動作を制御する制御部と、
を含んで構成されることを特徴とするデジタル放送受信端末機の電力制御装置。
【請求項２】
前記制御部は、受信環境が悪い場合に前記第１及び第２受信部を両方とも動作させ、受信環境が良い場合に前記第１及び第２受信部のいずれか一方を動作させることを特徴とする請求項１に記載のデジタル放送受信端末機の電力制御装置。
【請求項３】
前記第１及び第２受信部はそれぞれ、アンテナと、チューナと、アナログ／デジタル変換器と、を備えることを特徴とする請求項１に記載のデジタル放送受信端末機の電力制御装置。
【請求項４】
前記制御部は、前記第１及び第２受信部のいずれか一方を動作させるときに、他方の前記受信部の前記チューナ、または前記チューナ及びアナログ／デジタル変換器の電源供給を制御することを特徴とする請求項３に記載のデジタル放送受信端末機の電力制御装置。
【請求項５】
前記制御部は、前記第１及び第２受信部のいずれか一方を動作させているときに、受信環境が変化して、他方の前記受信部へ動作を切り換える状況となった場合、一旦、前記第１及び第２受信部の両方を動作させる制御を経ることを特徴とする請求項３に記載のデジタル放送受信端末機の電力制御装置。
【請求項６】
前記制御部は、前記第１及び第２受信部のいずれか一方の動作から前記第１及び第２受信部の両方の動作へ切り換える際に、自動利得制御ループ（Auto Gain Control loop）を調整して前記チューナを速く安定させることを特徴とする請求項５に記載のデジタル放送受信端末機の電力制御装置。
【請求項７】
前記制御部は、前記第１及び第２受信部のいずれか一方の動作から前記第１及び第２受信部の両方の動作へ切り換える際に、他方の前記受信部における前記チューナ及びアナログ／デジタル変換器の自動利得制御関連値の初期値として、前記一方の受信部の値を適用することを特徴とする請求項５に記載のデジタル放送受信端末機の電力制御装置。
【請求項８】
前記制御部は、前記第１及び第２受信部を両方とも動作させている場合に、当該両受信部の動作を維持するか、又は、前記第１及び第２受信部のいずれか一方を動作させるか、選択的に動作を切り換え可能であることを特徴とする請求項２に記載のデジタル放送受信端末機の電力制御装置。
【請求項９】
ＣＤＭ（Code Division Multilplexing）チャネルを復号するためのＣＤＭ復調器で前記第１及び第２受信部の信号対雑音比（Signal to Noise Ratio：ＳＮＲ）を抽出するためのＳＮＲ抽出手段と、
ビタビデコーディング（Viterbi decoding）する前のビットエラー率（Bit Error Rate：ＢＥＲ）を検出するためのＢＥＲ検出手段と、
をさらに含んで構成されることを特徴とする請求項１に記載のデジタル放送受信端末機の電力制御装置。
【請求項１０】
前記制御部は、前記ＢＥＲ検出手段によるビットエラー率と、前記ＳＮＲ抽出手段による信号対雑音比と、同期基準となるフィンガ（finger）の割当情報と、に基づいて前記第１及び第２受信部の動作を制御することを特徴とする請求項９に記載のデジタル放送受信端末機の電力制御装置。
【請求項１１】
前記制御部は、前記ビットエラー率を周期的に取得することを特徴とする請求項９に記載のデジタル放送受信端末機の電力制御装置。
【請求項１２】
前記ビットエラー率を取得する周期が５００ｍｓ〜１ｓの範囲で決められることを特徴とする請求項１１に記載のデジタル放送受信端末機の電力制御装置。
【請求項１３】
前記制御部は、前記第１及び第２受信部を両方とも動作させているときに、前記ビットエラー率が前記受信部を単独で動作させる条件を満足し、そして、前記第１及び第２受信部の信号対雑音比のうち良好な値の方の信号対雑音比が、前記受信部を単独で動作させても良い条件を満足する場合、当該良好な信号対雑音比をもつ受信部の単独動作へ切り換えることを特徴とする請求項１０に記載のデジタル放送受信端末機の電力制御装置。
【請求項１４】
前記制御部は、前記第１及び第２受信部の一方を動作させているときに、前記ビットエラー率が前記受信部を単独で動作させる条件から外れた場合、前記第１及び第２受信部を両方とも動作させる制御に切り換えることを特徴とする請求項１０に記載のデジタル放送受信端末機の電力制御装置。
【請求項１５】
前記制御部は、前記第１及び第２受信部を両方とも動作させているときに、前記ビットエラー率が前記受信部を単独で動作させる条件を満足し、そして、前記フィンガの割当情報からわかる基準フィンガ（Reference Finger）該当受信部の前記信号対雑音比が、前記受信部を単独で動作させても良い条件を満足する場合、当該基準フィンガ該当受信部の単独動作へ切り換えることを特徴とする請求項１０に記載のデジタル放送受信端末機の電力制御装置。
【請求項１６】
２つのデジタル放送用受信部を有するシステムＥ方式のデジタル放送受信端末機の電力制御方法において、
受信環境に応じて前記両受信部の動作を自動的に調節することを特徴とする電力制御方法。
【請求項１７】
前記各受信部が、アンテナと、チューナと、アナログ／デジタル変換器と、を備えていることを特徴とする請求項１６に記載の電力制御方法。
【請求項１８】
前記受信部を両方とも動作させるか、前記受信部のうちいずれか一方を動作させるか、を選択制御することを特徴とする請求項１６に記載の電力制御方法。
【請求項１９】
前記受信部のうちいずれか一方を動作させるときに、他方の前記受信部の電源供給を制御することを特徴とする請求項１８に記載の電力制御方法。
【請求項２０】
前記受信部のうちいずれか一方を動作させているときに、受信環境が変化して、他方の前記受信部へ動作を切り換える状況となった場合、一旦、前記受信部を両方とも動作させる制御を経ることを特徴とする請求項１８に記載の電力制御方法。
【請求項２１】
前記受信部のいずれか一方の動作から前記受信部の両方の動作へ切り換える際に、自動利得制御ループ（Auto Gain Control loop）を調整して前記受信部にあるチューナを速く安定させることを特徴とする請求項２０に記載の電力制御方法。
【請求項２２】
前記受信部のいずれか一方の動作から前記受信部の両方の動作へ切り換える際に、他方の前記受信部にあるチューナ及びアナログ／デジタル変換器の自動利得制御関連値の初期値として、前記一方の受信部の値を適用することを特徴とする請求項２０に記載の電力制御方法。
【請求項２３】
前記受信部が両方とも動作している場合に、当該両受信部の動作を維持するか、又は、前記受信部のいずれか一方を動作させるか、選択的に動作を切り換え可能であることを特徴とする請求項１８に記載の電力制御方法。
【請求項２４】
ビタビデコーディング（Viterbi decoding）する前のビットエラー率（ＢＥＲ）と、ＣＤＭ復調器で得られる前記各受信部の信号対雑音比（ＳＮＲ）と、同期基準となるフィンガ（finger）の割当情報と、に基づいて前記受信部の動作を制御することを特徴とする請求項１６に記載の電力制御方法。
【請求項２５】
前記ビットエラー率を周期的に取得することを特徴とする請求項２４に記載の電力制御方法。
【請求項２６】
前記ビットエラー率を取得する周期が５００ｍｓ〜１ｓの範囲で決められることを特徴とする請求項２５に記載の電力制御方法。
【請求項２７】
前記受信部が両方とも動作しているときに、前記ビットエラー率が前記受信部を単独で動作させる条件を満足し、そして、前記各受信部の信号対雑音比のうち良好な値の方の信号対雑音比が、前記受信部を単独で動作させても良い条件を満足する場合、当該良好な信号対雑音比をもつ受信部の単独動作へ切り換えることを特徴とする請求項２４に記載の電力制御方法。
【請求項２８】
前記受信部が両方とも動作しているときに、前記ビットエラー率が前記受信部を単独で動作させる条件を満足し、そして、前記フィンガの割当情報からわかる基準フィンガ（Reference Finger）該当受信部の前記信号対雑音比が、前記受信部を単独で動作させても良い条件を満足する場合、当該基準フィンガ該当受信部の単独動作へ切り換えることを特徴とする請求項２４に記載の電力制御方法。
【請求項２９】
前記受信部の一方が動作しているときに、前記ビットエラー率が前記受信部を単独で動作させる条件から外れた場合、前記受信部を両方とも動作させる制御に切り換わることを特徴とする請求項２４に記載の電力制御方法。
【請求項３０】
ビタビデコーディングする前のビットエラー率（ＢＥＲ）を検出する過程と、
該ビットエラー率が、二つあるデジタル放送用受信部のいずれか一方を単独で動作させても構わない条件を満足する場合、前記受信部の信号対雑音比（ＳＮＲ）及びフィンガ（finger）の割当情報を獲得する過程と、
前記フィンガ割当情報からわかる基準フィンガ該当受信部の前記信号対雑音比が単独動作条件を満足するか判断する過程と、
該条件を満足していれば、当該受信部を受信経路に設定する過程と、
を含んで構成されることを特徴とするデジタル放送受信端末機の電力制御方法。
【請求項３１】
ビタビデコーディングする前のビットエラー率（ＢＥＲ）を検出する過程と、
該ビットエラー率が、二つあるデジタル放送用受信部のいずれか一方を単独で動作させても構わない条件を満足する場合、前記受信部の信号対雑音比（ＳＮＲ）を獲得する過程と、
相対的に良好な値を持つ方の前記信号対雑音比が単独動作条件を満足するか判断する過程と、
該条件を満足していれば、当該信号対雑音比の受信部を受信経路に設定する過程と、
を含んで構成されることを特徴とするデジタル放送受信端末機の電力制御方法。
【発明の詳細な説明】
【技術分野】
【０００１】
本発明は、デジタル放送受信端末機の電力制御装置及び電力制御方法に係り、より詳細には、受信環境の良い所では１個のアンテナのみを使用することによって受信端末機の消費電力を低減できる装置及び方法に関する。
【背景技術】
【０００２】
一般に、システムＥ方式のデジタル放送受信端末機は、安定した受信のために２個のアンテナを使用して受信部を構成している。アンテナを２個使用するということは、チューナ（Tuner）部分の占有面積が大きくなり且つ消費電力も大きくなることになる。
【０００３】
アンテナを１個使用する場合、理論上、全般的加算性白色ガウス雑音（Additive White Gaussian Noise：ＡＷＧＮ）が存在するチャネルにおいて、３ｄＢ程度の利得（Gain）がある。しかし、無線環境の性格上、２個のアンテナの無線環境が大きく異なる場合には、それ以上の利得が得られる。このため、端末機では２個のアンテナが使用されている。
【発明の開示】
【発明が解決しようとする課題】
【０００４】
現状の受信端末機では、２個のアンテナを使用する場合、必ずチューナも２つ動作させ、基底帯域（Baseband）端も必ずこれに合わせて動作させている。しかしながら、無線環境には、敢えて２個のアンテナを動作させずとも１個のアンテナを動作させるだけで良い、良好な無線環境も存在する。にもかかわらず、従来の受信端末機は、２個のアンテナを常時作動させるしかなく、消費電力を増やす要因となっている。
【０００５】
本発明はこのような課題を解決するもので、その目的は、デジタル放送受信端末機の消費電力を低減できる装置及び方法を提供することにある。そしてこれに伴って、デジタル放送受信端末機の視聴時間を今以上に延長することを可能とするものである。
【課題を解決するための手段】
【０００６】
上記目的を達成するため、本発明に係るデジタル放送受信端末機の電力制御装置は、デジタルマルチメディア放送を受信するための第１及び第２受信部と、受信環境に応じて前記第１及び第２受信部の動作を制御する制御部と、を含むことを構成の特徴とする。
【０００７】
このデジタル放送受信端末機の電力制御装置における細部的構成の特徴で、制御部は、受信環境が悪い場合に第１及び第２受信部を両方とも動作させ、受信環境が良い場合に第１及び第２受信部のいずれか一方を動作させることができる。また、第１及び第２受信部はそれぞれ、アンテナと、チューナと、アナログ／デジタル変換器と、を備える構成とすることができる。この場合、制御部は、第１及び第２受信部のいずれか一方を動作させるときに、他方の受信部のチューナ、またはチューナ及びアナログ／デジタル変換器の電源供給を制御することができる。また、制御部は、第１及び第２受信部のいずれか一方を動作させているときに、受信環境が変化して、他方の受信部へ動作を切り換える状況となった場合、一旦、第１及び第２受信部を両方とも動作させる制御を経ることができる。
【０００８】
このようなデジタル放送受信端末機の電力制御装置では、さらに、ＣＤＭ（Code Division Multilplexing）チャネルを復号するためのＣＤＭ復調器で第１及び第２受信部（アンテナ）の信号対雑音比（Signal to Noise Ratio：ＳＮＲ）を抽出するためのＳＮＲ抽出手段と、ＣＤＭ復調器から出力された信号がビタビデコーディング（Viterbi decoding）される前のビットエラー率（Bit Error Rate：ＢＥＲ）を検出するためのＢＥＲ検出手段と、をさらに備えることができる。この場合の制御部は、ＳＮＲ抽出手段による信号対雑音比と、ＢＥＲ検出手段によるビットエラー率と、同期基準となるフィンガ（finger）の割当情報と、に基づいて第１及び第２受信部の動作を制御することができる。また、制御部は、５００ｍｓ（ミリ秒）〜１ｓ（秒）の範囲の周期でビタビデコーディングされる前のビットエラー率検出を実行して、第１及び第２受信部の動作条件を判断することができる。
【０００９】
上記目的を達成するため、本発明に係る電力制御方法は、２つのデジタル放送用受信部を有するシステムＥ方式のデジタル放送受信端末機の電力制御方法において、受信環境に応じて両受信部の動作を自動的に調節することを特徴とする。
【００１０】
具体的には、受信部を両方とも動作させるか、両受信部のうちいずれか一方を動作させるかを選択制御する。この場合、両受信部のいずれか一方を動作させているときに、受信環境が変化して、他方の受信部へ動作を切り換える状況となった場合、一旦、受信部を両方とも動作させる受信モードを経る制御とすることができる。
【００１１】
このような電力制御方法においては、ビタービデコーディング（Viterbi decoding）する前のビットエラー率（ＢＥＲ）と、ＣＤＭ復調器で得られる両アンテナの信号対雑音比（ＳＮＲ）と、同期基準となるフィンガ（finger）の割当情報と、に基づいて両受信部の動作を制御することができる。この場合、受信部が両方とも動作している状態で、ＢＥＲが単独動作切換条件を満足し、両受信部のＳＮＲうち良好な値の方のＳＮＲが、受信部を単独で動作させても良い条件を満足する場合に、当該良好なＳＮＲをもつ受信部の単独動作へ切り換えるよう制御することができる。あるいは、受信部が両方とも動作している状態で、ＢＥＲが単独動作切換条件を満足し、フィンガの割当情報からわかる基準フィンガ（Reference Finger）該当受信部のＳＮＲが、受信部を単独動作させても良い条件を満足する場合に、当該基準フィンガ該当受信部の単独動作へ切り換えるよう制御することができる。また、一方の受信部が単独動作している状態で、ＢＥＲが単独動作条件から外れた場合、受信部を両方とも動作させる受信モードを実行する制御とすることができる。
【００１２】
この他に、本発明に係るデジタル放送受信端末機の電力制御方法は、ビタビデコーディング前のビットエラー率（ＢＥＲ）を検出する過程と、該ビットエラー率が、二つあるデジタル放送用受信部のうちの一方を単独で動作させても構わない条件を満足する場合、両受信部の信号対雑音比（ＳＮＲ）及びフィンガ（finger）の割当情報を獲得する過程と、そのフィンガ割当情報からわかる基準フィンガ該当受信部の信号対雑音比が単独動作条件を満足するか判断する過程と、該条件を満足していれば、当該受信部を受信経路に設定する過程と、を含んで構成されることを特徴とする。
【００１３】
さらに、本発明に係るデジタル放送受信端末機の電力制御方法は、ビタビデコーディング前のビットエラー率（ＢＥＲ）を検出する過程と、該ビットエラー率が、二つあるデジタル放送用受信部のうちの一方を単独で動作させても構わない条件を満足する場合、両受信部の信号対雑音比（ＳＮＲ）を獲得する過程と、相対的に良好な値を有する方の信号対雑音比が単独動作条件を満足するか判断する過程と、該条件を満足していれば、当該信号対雑音比の受信部を受信経路に設定する過程と、を含んで構成されることを特徴とする。
【発明の効果】
【００１４】
本発明によれば、デジタル放送受信端末機において、２つのアンテナを設置することによって受信環境の悪い場合に備えることができる一方、受信環境に応じてアンテナを単独と重複（ダイバーシチ）に自動切換することによって、受信環境の良い場合には消費電力を低減することができる。すなわち、受信環境に応じてダイバーシチを使い分け、場合によって受信部を単独動作制御することにより、アンテナダイバーシティを無条件に適用する場合に比べて消費電力を大きく低減できる一方で、１つのアンテナのみをもつ端末機に比べれば、実装面積は多くなるが、良好な受信感度を得られるという利点がある。
【発明を実施するための最良の形態】
【００１５】
以下、添付の図面を参照して、本発明の好適な実施形態について説明する。ただし、図面及び図面を使用して説明する以下の具体的な実施形態は、本発明を例示するためのものであり、本発明の技術的思想とその核心構成、作用等を制限するためのものではない。
【００１６】
ダイバーシティ方式は、無線通信システムで受信信号の品質を高めるため一般的に使われる技術である。ダイバーシティ方式が適用されたシステムにおける受信装置は、通常、２つ以上のアンテナを備え、これらアンテナを常動させて受信した各信号を適切に選択（selection or switching）したり合成（combining）することによって、アンテナを１つのみ備えた受信装置に比べて受信信号の品質を向上させている。
【００１７】
図１は、システムＥ方式のデジタル放送受信端末機の受信部分の構成を示すブロック図である。この受信端末機は、デジタルマルチメディア放送（ＤＭＢ）を受信するための第１受信部１１０及び第２受信部１２０と、これら受信部１１０，１２０から提供された信号をＣＤＭ方式で復調するＣＤＭ復調器１３０と、その復調された信号に含まれたエラーを検出及び訂正しデコーディングする第１、第２デコーディング部１４０，１５０と、これらデコーディング部１４０，１５０から提供された信号をマルチプレクシング（多重化）するマルチプレクサ１６０と、を備えている。
【００１８】
受信部１１０，１２０はそれぞれ、ダイバーシティアンテナ１１１，１２１、チューナ１１２，１２２、及びアナログ／デジタル変換器（Ａ／Ｄ変換器）１１３，１２３を備えてなる。
【００１９】
デコーディング部１４０，１５０はそれぞれ、ビットデインターリーバ（bit deinterleaver）１４１，１５１と、ビタビデコーダ（Viterbi decoder）１４２，１５２と、バイトデインターリーバ（byte deinterleaver）１４３，１５３と、リードソロモンデコーダ（Reed Solomon decoder）１４４，１５４と、を備えて構成される。デコーディング部１４０，１５０は、データ信号と制御信号によって区分される。
【００２０】
図２は、本発明による電力制御装置の構成を概略的に示すブロック図である。この電力制御装置は、上述の第１及び第２受信部１１０，１２０と、ＣＤＭ復調器１３０から提供される（図１中にポイントＡで示す）信号対雑音比（Signal-to-Noise Ratio：ＳＮＲ）及びデコーディング部１４０（１５０）から提供される（図１中にポイントＢで示す）ビットエラー率（Bit Error Rate：ＢＥＲ）に基づいて受信環境を判断し、当該受信環境に応じて第１及び第２受信部１１０，１２０の動作を制御する制御部２００と、を備えている。そのＣＤＭ復調器又は制御部にＳＮＲ検出手段が設けられ、デコーディング部又は制御部にＢＥＲ検出手段が設けられている。
【００２１】
本発明の主な特徴は、第１及び第２受信部１１０，１２０にあるチューナ１１２，１２２とＡ／Ｄ変換器１１３，１２３の動作制御にあるといえる。すなわち、受信環境が比較的悪い場合には、第１受信部１１０と第２受信部１２０とも動作させ、受信環境が良くて１つの受信部のみでも良好に受信ができる場合には、第１受信部１１０または第２受信部１２０のいずれかを動作させて受信を行う。
【００２２】
すなわち、一方の受信部のみで受信が可能な場合には、他方の受信部に対する電源供給を制御して、チューナ、またはチューナ及びＡ／Ｄ変換器の動作を抑止することによって、端末機の消費電力を低減させる。図３の状態遷移図に示すように、受信端末機は、第１受信部１１０が動作する状態state1または第２受信部１２０が動作する状態state2と、受信部１１０，１２０が両方とも動作する状態state3と、を遷移する。
【００２３】
ただし、第１受信部１１０のみ動作する状態state1から第２受信部１２０のみ動作する状態state2へ直接遷移する（あるいはこの逆）ことは無い制御フローとなっている。これは、第１受信部１１０のみ動作している場合では第２受信部１２０が動作しておらず、つまり、一方の受信部のみ動作している場合に他方の受信部は動作していないので、該他方の受信部の状況を制御部２００で把握できないためである。そこで、一方の受信部が動作しているときに、受信環境が変化して他方の受信部へ動作を切り換える場合、一旦、受信部を両方とも動作させる制御を経るようにする。一度、受信部を両方とも動作させれば、その状況（ＳＮＲ、ＢＥＲ）を把握できるので、そのまま両受信部動作を維持したり、いずれか一方の受信部動作へ切り換えることが可能である。
【００２４】
制御部２００は、次のようなパラメータ（Paramter）を周期的に測定して受信部の動作切換条件を判断する。
・ビタビデコーダより前のビットエラー率（ＢＥＲ）
・ＣＤＭ復調器から得られる第１受信部の信号対雑音比（ＳＮＲ）
・ＣＤＭ復調器から得られる第２受信部の信号対雑音比（ＳＮＲ）
・フィンガ（Finger）の同期基準となる基準フィンガがどの受信部のアンテナに割り当てられているか示す割当情報
【００２５】
受信部の動作切換を起こす場合には、その受信部の状態に迅速に適応するべく、自動利得制御ループ（Auto Gain Control loop）が速く収斂するように自動利得制御関連パラメータを調節する。いずれか一方の受信部動作から両受信部動作に切り換える場合には、それまで動作を抑止していた他方の受信部の自動利得制御値（チューナ及びＡ／Ｄ変換器）の初期値として、現在受信動作中である一方の受信部の値を適用し、これから動作する他方の受信部が早期に安定化できるようにする。
【００２６】
図４は、本発明に係る電力制御方法の処理過程例を示したフローチャートである。同図は、受信部１１０，１２０を両方とも動作させている状態（Ｓ４１）からの動作切換を示している。
【００２７】
制御部２００は、両受信部が動作している間、周期的、たとえば５００ｍｓ（ミリ秒）または１ｓ（秒）の周期ごとに、ビタビデコーディングする前、つまり、ビタビデコーダ１４２，１５２より前のビットエラー率を検出する（Ｓ４２）。
【００２８】
検出されたビットエラー率を所定のしきい値（Th_1_Change）と比較することにより、受信部を単独で動作させて良い（良好に受信できる）単独動作条件になるか判断する。この時のしきい値は、受信部の性能によって適宜決定する。すなわち、しきい値（Th_1_change）は、これよりもビットエラー率が小さければ受信環境が良好であることを判断可能な値とし、この判断により、１つの受信部のみの動作に切り換えても良い条件と判断する（Ｓ４３）。
【００２９】
制御部２００は、受信環境が良好であると判断できれば、両受信部の信号対雑音比（ＳＮＲ）と、フィンガ（fingers）の同期基準となる基準フィンガ（Reference Finger）がどの受信部（アンテナ）に割り当てられていているかを示す割当情報を取得する（Ｓ４４）。これらにより、受信部（アンテナ）を１つに絞っても構わないか判断し、構わないと確認できた場合は１つの受信部の単独動作に切り換える。
【００３０】
制御部２００は、まず、フィンガの割当情報を確認することで、より安定的に同期獲得を維持できることになるので、基準フィンガが第１受信部１１０か第２受信部１２０かを判断する（Ｓ４５）。そして、基準フィンガを割り当てられている受信部の信号対雑音比が、１つの受信部のみの動作で良い条件かどうか、所定のしきい値（Th_SNR）との比較で判断する（Ｓ４６，Ｓ４７）。この単独動作条件を満足する場合、基準フィンガ該当の受信部を単独動作させるよう切り換える（Ｓ４８，Ｓ４９）。
【００３１】
以上の単独動作条件を満足しない場合、制御部２００は、受信部１１０，１２０が両方とも動作する状態を維持する。
【００３２】
図５は、本発明に係る電力制御方法の他の例を示すフローチャートである。本例もまた、受信部１１０，１２０が両方とも動作している状態（Ｓ５１）からの動作切換過程を示している。
【００３３】
制御部２００は、周期的にビタビデコーダより前のビットエラー率（ＢＥＲ）を検出し（Ｓ５２）、検出されたビットエラー率をしきい値（Th_1_change）と比較して単独動作条件かどうか判断する（Ｓ５３）。ビットエラー率が単独動作条件を満足している場合は、両受信部の信号対雑音比（ＳＮＲ）を獲得し（Ｓ５４）、両者を比較する（Ｓ５５）。
【００３４】
その結果、制御部２００は、相対的に良好な大きい値を有する受信部（アンテナ）の信号対雑音比をしきい値（Th_SNR）と比較し、１つの受信部動作に切り換えても良い条件であるかどうか判断する（Ｓ５６，Ｓ５７）。当該単独動作条件を満足する場合は、該当の受信部のみが動作する状態に切り換える（Ｓ５８，Ｓ５９）。
【００３５】
以上の単独動作条件を満足しない場合、制御部２００は、受信部１１０，１２０が両方とも動作する状態を維持する。
【００３６】
図５の例は、ビットエラー率から判断した受信環境が良い場合に、信号対雑音比が相対的に良好な方の受信部について、しきい値（Th_SNR）と比較し、１つの受信部（アンテナ）の単独動作で良い条件であれば、１つの受信部による単独動作に切り換えるようにしている点で、図４の例と異なる。上述したように、この場合はフィンガ（Fingers）が同期を取りにがす可能性があり、図４のフローに比べて遷移時間が長くなることがある。
【００３７】
図６は、本発明に係る電力制御方法について、１つの受信部の単独動作で受信している状態（Ｓ６１）からの動作切換を示すフローチャートである。
【００３８】
制御部２００は、たとえば５００ｍｓまたは１ｓの周期ごとにビタビデコーダより前のビットエラー率（ＢＥＲ）を検出する（Ｓ６２）。そして、ビットエラー率を、単独動作維持条件を決めるしきい値（Th_1_steady）と比較し、当該維持条件を満足する場合は、受信環境が良好なので、そのまま受信部の単独動作を続行する。一方、ビットエラー率がしきい値（Th_1_steady）よりも大きく、単独動作維持条件を外れれば、２つの受信部１１０，１２０を両方とも動作させる。
【００３９】
制御部２００は、受信部を両方とも動作させる、すなわち休ませていた他方の受信部を動作させるにあたって、当該受信部が迅速に安定化するように、現在動作している方の受信部の自動利得制御（ＡＧＣ）関連値を読み取って、これから動作させる受信部に反映させる。これは、実際に両受信部の受信環境は類似している可能性が大きいためである。
【００４０】
以上説明した内容から、当業者なら本発明の技術思想を逸脱しない範囲で種々の変更及び修正が可能であるということは明らかである。したがって、本発明の技術的範囲は、明細書中の詳細説明に限定されるのではなく、特許請求の範囲によって定められるべきである。
【図面の簡単な説明】
【００４１】
【図１】システムＥ方式のデジタル放送受信端末機における受信部分の構成を示すブロック図である。
【図２】本発明に係る電力制御装置の構成を概略的に示すブロック図である。
【図３】本発明に係る受信部の状態遷移図である。
【図４】本発明に係る電力制御方法の一例を示すフローチャートである。
【図５】本発明に係る電力制御方法の他の例を示すフローチャートである。
【図６】本発明に係る電力制御方法のさらに他の例を示すフローチャートである。
【図１】
2006311539.tif 000003
【図２】
2006311539.tif 000004
【図３】
2006311539.tif 000005
【図４】
2006311539.tif 000006
【図５】
2006311539.tif 000007
【図６】
2006311539.tif 000008